(57)【要約】  欠陥管理を効率よく行うための追記型ディスクの構造、データが追記型光ディスク上にこれ以上記録されないとき、例えば、光ディスクがファイナライズしたとき、欠陥管理領域内に最終管理情報を記録する方法、光ディスクがファイナライズされるか否かに応じて可変する、光ディスクに対する記録および再生方法を提供する。前記記録媒体は、一時欠陥管理領域（ＴＤＭＡ）および欠陥管理領域（ＤＭＡ）を有し、前記方法は、記録媒体のＴＤＭＡに記録された情報をＤＭＡに伝送する段階、および最終管理情報としてＤＭＡに伝送された情報を記録する段階を含み、前記最終管理情報は、少なくとも一つの欠陥リストと、スペースビットマップ情報及び順次的な記録範囲情報のうち何れか一方とを有し、一つまたは全ての有効な欠陥リストに関する位置情報をＤＭＡに記録する。
2007509453.tif 000002
【特許請求の範囲】
【請求項１】
一時欠陥管理領域（ＴＤＭＡ）および欠陥管理領域（ＤＭＡ）を有する追記型記録媒体上に最終管理情報を記録する方法であって、
前記記録媒体の前記ＴＤＭＡに記録された情報を前記ＤＭＡに伝送する段階と、
少なくとも一つの欠陥リスト、及びスペースビットマップ情報または順次的な記録範囲情報のうち何れか一方を有する最終管理情報として、前記ＤＭＡに伝送された前記情報を記録する段階と、を含み、
前記記録する段階は、前記ＤＭＡに記録された少なくとも一つの欠陥リストからの一つの有効な欠陥リストに関する位置情報を前記ＤＭＡに保存する段階を含むことを特徴とする記録方法。
【請求項２】
前記保存する段階において、前記一つの有効な欠陥リストに関する位置情報は、前記ＤＭＡに記録された少なくとも一つの欠陥リストからの第１の有効な欠陥リストのみに関する位置情報であることを特徴とする請求項１に記載の記録方法。
【請求項３】
前記最終管理情報は、前記ＤＭＡに記録されたディスク定義構造（ＤＤＳ）情報をさらに有することを特徴とする請求項１に記載の記録方法。
【請求項４】
前記保存する段階において、前記一つの有効な欠陥リストに関する位置情報は、前記ＤＤＳ情報の一部として保存されることを特徴とする請求項３に記載の記録方法。
【請求項５】
前記保存する段階において、前記一つの有効な欠陥リストに関する位置情報は、前記一つの有効な欠陥リストの第１物理セクター番号であることを特徴とする請求項１に記載の記録方法。
【請求項６】
前記伝送する段階において、前記記録媒体は、単一層の記録媒体またはデュアル層の記録媒体であることを特徴とする請求項１に記載の記録方法。
【請求項７】
前記記録する段階は、
前記ＤＭＡの欠陥リスト領域に欠陥リストを記録する段階と、
記録された前記欠陥リスト領域に欠陥があるかを検証する段階と、
前記検証する段階において記録された前記欠陥リスト領域が欠陥なしと判断された場合に、記録された前記欠陥リストに関する位置情報を保存するように前記保存する段階を実行する段階と、
を含むことを特徴とする請求項１に記載の記録方法。
【請求項８】
前記記録する段階は、前記ＤＭＡの次に利用可能な欠陥リスト領域のそれぞれに前記欠陥リストを記録する段階をさらに含むことを特徴とする請求項７に記載の記録方法。
【請求項９】
前記次の利用可能な欠陥リスト領域のそれぞれに前記欠陥リストを記録する段階は、選択的に行われることを特徴とする請求項８に記載の記録方法。
【請求項１０】
一時欠陥管理領域（ＴＤＭＡ）および欠陥管理領域（ＤＭＡ）を有する追記型記録媒体上に最終管理情報を記録する方法であって、
前記記録媒体の前記ＴＤＭＡに記録された情報を前記ＤＭＡに伝送する段階と、
複数の複製欠陥リスト、及びスペースビットマップ情報及び順次的な記録範囲情報のうち何れか一方を有する最終管理情報として、前記ＤＭＡに前記伝送された情報を記録する段階と、を含み、
前記記録する段階は、前記ＤＭＡに記録された前記複製欠陥リストからの全ての有効な欠陥リストに関する位置情報を前記ＤＭＡに保存する段階を含むことを特徴とする記録方法。
【請求項１１】
前記最終管理情報は、前記ＤＭＡに記録されたディスク定義構造（ＤＤＳ）情報をさらに有することを特徴とする請求項１０に記載の記録方法。
【請求項１２】
前記保存する段階において、前記位置情報は、前記ＤＤＳ情報の一部として保存されることを特徴とする請求項１１に記載の記録方法。
【請求項１３】
前記保存する段階において、前記全ての有効な欠陥リストに関する位置情報は、前記有効な欠陥リストのそれぞれの第１物理セクター番号であることを特徴とする請求項１０に記載の記録方法。
【請求項１４】
前記伝送する段階において、前記記録媒体は、単一層の記録媒体もしくはデュアル層の記録媒体であることを特徴とする請求項１０に記載の記録方法。
【請求項１５】
前記記録する段階は、
前記ＤＭＡの欠陥リスト領域に欠陥リストを記録する段階と、
記録された前記欠陥リスト領域に欠陥があるかを検証する段階と、
前記検証する段階において記録された前記欠陥リスト領域が欠陥なしと判断された場合に、記録された前記欠陥リストに関する位置情報を保存するように前記保存する段階を実行する段階と、
を含むことを特徴とする請求項１０に記載の記録方法。
【請求項１６】
前記記録する段階、前記検証する段階、および前記保存する段階を実行する段階は、一つのＤＭＡに対して７回まで繰り返し行われることを特徴とする請求項１５に記載の記録方法。
【請求項１７】
追記型記録媒体において、
少なくとも一つの記録層と、
前記少なくとも一つの記録層に対する一時欠陥管理領域（ＴＤＭＡ）および欠陥管理領域（ＤＭＡ）と、を備え、
前記ＴＤＭＡに記録された情報は最終管理情報の一部として前記ＤＭＡに伝送および記録され、
前記最終管理情報は、少なくとも一つの欠陥リストと、スペースビットマップ情報及び順次的な記録範囲情報のうち何れか一方と、前記ＤＭＡに記録された前記少なくとも一つの欠陥リストからの一つの有効な欠陥リストに関する位置情報と、を有することを特徴とする記録媒体。
【請求項１８】
前記一つの有効な欠陥リストに関する位置情報は、前記ＤＭＡに記録された少なくとも一つの欠陥リストからの第１の有効な欠陥リストのみに関する位置情報であることを特徴とする請求項１７に記載の記録媒体。
【請求項１９】
前記最終管理情報は、前記ＤＭＡに記録されたディスク定義構造（ＤＤＳ）情報をさらに有することを特徴とする請求項１７に記載の記録媒体。
【請求項２０】
前記一つの有効な欠陥リストに関する位置情報は、前記ＤＤＳ情報の一部として保存されることを特徴とする請求項１９に記載の記録媒体。
【請求項２１】
前記一つの有効な欠陥リストに関する位置情報は、前記一つの有効な欠陥リストの第１物理セクター番号であることを特徴とする請求項１７に記載の記録媒体。
【請求項２２】
前記記録媒体は、単一の記録層を有することを特徴とする請求項１７に記載の記録媒体。
【請求項２３】
前記記録媒体は、２つの記録層を有することを特徴とする請求項１７に記載の記録媒体。
【請求項２４】
前記ＤＭＡ内に予約領域をさらに有することを特徴とする請求項２３に記載の記録媒体。
【請求項２５】
前記記録媒体は、ブルーレイ追記型光ディスクであることを特徴とする請求項１７に記載の記録媒体。
【請求項２６】
前記ＤＭＡは、
前記スペースビットマップ情報及び順次的な記録範囲情報と共に前記位置情報を保存する第１領域と、
欠陥リストを選択的にそれぞれ保存する複数の第２領域と、
を備えることを特徴とする請求項１７に記載の記録媒体。
【請求項２７】
追記型記録媒体において、
少なくとも一つの記録層と、
前記少なくとも一つの記録層に対する一時欠陥管理領域（ＴＤＭＡ）および欠陥管理領域（ＤＭＡ）と、を備え、
前記ＴＤＭＡに記録された情報は、最終管理情報の一部として前記ＤＭＡに伝送および記録され、
前記最終管理情報は、複数の複製欠陥リストと、スペースビットマップ情報及び順次的な記録範囲情報のうち何れか一方と、前記ＤＭＡに記録された前記複製欠陥リストからの全ての有効な欠陥リストに関する位置情報と、を有することを特徴とする記録媒体。
【請求項２８】
前記最終管理情報は、前記ＤＭＡに記録されたディスク定義構造（ＤＤＳ）情報をさらに有することを特徴とする請求項２７に記載の記録媒体。
【請求項２９】
前記位置情報は、前記ＤＤＳ情報の一部として保存されることを特徴とする請求項２７に記載の記録媒体。
【請求項３０】
前記全ての有効な欠陥リストに関する位置情報は、前記有効な欠陥リストのそれぞれの第１物理セクター番号であることを特徴とする請求項２７に記載の記録媒体。
【請求項３１】
前記記録媒体は、単一の記録層を有することを特徴とする請求項２７に記載の記録媒体。
【請求項３２】
前記記録媒体は、２つの記録層を有することを特徴とする請求項２７に記載の記録媒体。
【請求項３３】
前記ＤＭＡ内に予約領域をさらに有することを特徴とする請求項３２に記載の記録媒体。
【請求項３４】
前記記録媒体は、ブルーレイ追記型光ディスクであることを特徴とする請求項２７に記載の記録媒体。
【請求項３５】
前記ＤＭＡは、
前記スペースビットマップ情報及び順次的な記録範囲情報と共に前記位置情報を保存する第１領域と、
欠陥リストの複製を保存する複数の第２領域と、
を備える請求項２７に記載の記録媒体。
【請求項３６】
一時欠陥管理領域（ＴＤＭＡ）および欠陥管理領域（ＤＭＡ）を有する追記型記録媒体上に最終管理情報を記録するための装置であって、
記録／再生部と、
前記記録媒体の前記ＴＤＭＡに記録された情報を前記ＤＭＡに伝送し、前記最終管理情報の一部として前記ＤＭＡに伝送された情報を記録するために前記記録／再生部を制御する制御部と、を備え、
前記最終管理情報は、少なくとも一つの欠陥リストと、スペースビットマップ情報及び順次的な記録範囲情報のうち何れか一方と、前記ＤＭＡに記録された前記少なくとも一つの欠陥リストからの一つの有効な欠陥リストに関する位置情報と、を有することを特徴とする記録装置。
【請求項３７】
一時欠陥管理領域（ＴＤＭＡ）および欠陥管理領域（ＤＭＡ）を有する追記型記録媒体上に最終管理情報を記録するための装置であって、
記録／再生部と、
前記記録媒体の前記ＴＤＭＡに記録された情報を前記ＤＭＡに伝送し、前記最終管理情報の一部として前記ＤＭＡに伝送された情報を記録するために前記記録／再生部を制御する制御部と、を備え、
前記最終管理情報は、複数の複製欠陥リストと、スペースビットマップ情報及び順次的な記録範囲情報のうち何れか一方と、前記ＤＭＡに記録された前記複製欠陥リストからの全ての有効な欠陥リストに関する位置情報と、を有することを特徴とする記録装置。
【発明の詳細な説明】
【技術分野】
【０００１】
本発明は追記型光ディスク、およびデータを追記型光ディスク上に／から記録／再生する方法および装置に係り、より詳細には、追記型ディスクの欠陥管理領域に最終管理情報を記録する方法および装置と、追記型光ディスクに対する記録／再生を行うために前記方法および装置を活用する方法および装置に関する。
【背景技術】
【０００２】
光記録媒体として、高密度のデータが記録可能な光ディスクが広く用いられている。中でも、新たな高密度光記録媒体（ＨＤ−ＤＶＤ）、例えば、ブルーレイ（Ｂｌｕｅ−ｒａｙ）ディスクは、高密度のビデオデータおよび高品質のオーディオデータを長時間記録および保存するために最近開発されたものである。
【０００３】
ブルーレイ・ディスクは次世代ＨＤ−ＤＶＤ技術でかつ次世代の光記録の解決策でもあり、既存のＤＶＤよりも遥かに多くのデータが記録可能である。なお、近年、ＨＤ−ＤＶＤに対する国際標準の技術的な仕様が規定されている。
【０００４】
これと関連し、追記型ブルーレイ・ディスク（ＢＤ−ＷＯ）に対する各種の標準が、書き換え可能なブルーレイ・ディスク（ＢＤ−ＲＥ）に対する標準に準拠して作られている。
【０００５】
図１は、書き換え可能なＢＤ−ＲＥの記録領域の構造を概略的に示している。図１に示すように、ＢＤ−ＲＥは、一つの記録層を有する単一層のディスクである。このディスクは、その内周から順番にリードイン領域、データ領域およびリードアウト領域を有する。データ領域は、ディスク上における欠陥領域を代替するために内周および外周のそれぞれに配置される内部スペア領域（ｉｎｎｅｒ ｓｐａｒｅ ａｒｅａ；ＩＳＡ０）および外部スペア領域（ｏｕｔｅｒ ｓｐａｒｅ ａｒｅａ；ＯＳＡ０）と、スペア領域およびこれらの間に与えられるユーザデータを記録するためのユーザデータ領域と、を有する。
【０００６】
データが書き換え可能なブルーレイ・ディスク（ＢＤ−ＲＥ）上に記録されるとき、ユーザデータ領域に欠陥領域が存在すれば、欠陥領域に記録されるデータはＩＳＡ０およびＯＳＡ０などのスペア領域の一部へ移されて記録される。スペア領域のこの部分は置換領域として知られている。また、欠陥領域の位置情報およびそれに対応する置換領域の位置情報は、欠陥管理を行うためにリードイン／アウト領域に与えられる欠陥管理領域（ＤＭＡ）１〜ＤＭＡ４に記録される。ＢＤ−ＲＥは、ここに記録される最小限の記録部として、クラスターを有する。一つのクラスターは合計で３２セクターからなり、一つのセクターは２，０４８バイトとなる。特に、ＢＤ−ＲＥは、３２クラスターを欠陥管理領域（ＤＭＡ）として割り当てて使用する。
【０００７】
データの書き換えが書き換え可能型ディスクのいかなる領域でも行われるため、ディスクの全領域は特定の記録方式とは無関係にランダムに使用できる。また、欠陥管理情報の記録、消去および書き換えが欠陥管理領域（ＤＭＡ）でも繰り返し行われるため、欠陥管理領域のサイズが微小であっても構わない。
【０００８】
図２は、図１のＢＤ−ＲＥ内のＤＭＡの構造を示している。ＤＭＡ１からＤＭＡ４のそれぞれは図２に示すような構造を有する。このため、ＤＭＡ１に保存された欠陥管理情報は他のＤＭＡ（例えば、ＤＭＡ２、ＤＭＡ３およびＤＭＡ４）のそれぞれにも記録され、ＤＭＡのうち何れか一つに欠陥がある場合でも、この情報が失われずに利用できる。
【０００９】
図２に示すように、書き換え可能型単一層のディスク（ＢＤ−ＲＥ）において、一つのＤＭＡは合計で３２クラスターからなる。ＤＭＡの４つの先頭クラスター（クラスター１〜クラスター４）は、ディスク定義構造（ＤＤＳ）に関する情報が４回、つまり、一つのＤＤＳに対して一つのクラスターが繰り返し記録される領域として与えられる。残りのクラスター５から３２は、欠陥リスト（ＤＦＬ）が７回、つまり、一つのＤＦＬに対して４つのクラスターが記録される領域として与えられる。
【００１０】
ディスクの管理に必要とされる各種の情報はＤＤＳに記録され、有効なＤＦＬの位置を知らせるための位置情報（ポインタＤＦＬ、以下では、“Ｐ＿ＤＦＬ“と称する。）を有する。このため、記録／再生装置がディスクの欠陥領域をＤＦＬとして記録および管理したい場合、ＤＦＬはＤＭＡにおけるＤＦＬの第１位置（クラスター５から８）に記録され、ＤＦＬ上の位置情報（Ｐ＿ＤＦＬ）はＤＤＳに記録される。その後、新しいＤＦＬが記録されるときは、新しいＤＦＬはＤＦＬの第１位置（クラスター５から８）に重ねられて記録される。
【００１１】
しかしながら、前記一連のプロセスが連続して行われる場合、ＤＦＬの第１位置（ＤＦＬが記録される領域）は破損領域となる場合がある。このとき、新しいＤＦＬはＤＭＡにおけるＤＦＬの有効な第２位置（クラスター９から１２）に記録され、新しいＤＦＬ上の位置情報（新しいＰ＿ＤＦＬ）はＤＤＳ内に記録される。このため、ＤＭＡにおけるＤＦＬの第３乃至第７位置（クラスター１３から３２）は、まず記録が行われていない非記録状態に維持され、その後、次の新しいＤＦＬを順番に記録する。例えば、ＤＦＬの第２位置が破損されれば、ＤＦＬはＤＦＬの第３位置（クラスター１３から１６）に新しく記録され、この新しいＤＦＬ上の位置情報（新しいＰ＿ＤＦＬ）はＤＤＳに記録される。
【００１２】
図３は、２つの記録層（層０および１）を有するデュアル層のＢＤ−ＲＥの構造を示している。ディスクは、それぞれ合計で６４クラスターを有するＤＭＡを４つ（ＤＭＡ１〜ＤＭＡ４）備える。層０および１内の２つのＤＭＡ部分は一つのＤＭＡをなす。例えば、ＤＭＡ１は、層０および１内の２つのＤＭＡ部分（“ＤＭＡ１“および“ＤＭＡ２“）からなる。
【００１３】
図４は、図３のデュアル層ＢＤ−ＲＥの各欠陥管理領域の構造を示している。単一層のＢＤ−ＲＥにおけるものと同じ情報が各ＤＭＡ内に記録され、各ＤＭＡはクラスター１から４のそれぞれに記録されるＤＤＳと、クラスター５から８における予約領域と、ＤＦＬを記録するためのクラスター９〜６４とを備える。
【００１４】
図４のデュアル層ディスクにおいては、図２の単一層のＤＭＡの記録方法と同じ原理により記録が行われるが、一つのＤＦＬが８クラスター（例えば、クラスター９から１６）として記録され、予約領域がＤＤＳ（クラスター１から４）とＤＦＬ（クラスター９から６４）との間に与えられるという点では違いがある。クラスター９から６４は、７つのＤＦＬが、つまり、一つのＤＦＬ記録に対して８クラスターが記録される領域として与えられる。
【００１５】
前記書き換え可能型ディスクにおける上書きは、記録方式をあまり限定することなく、ディスクのいかなる領域にも行える。しかし、追記型ディスクの場合、記録がディスク上の所定の領域に１回しか行えないため、記録方式がかなり制限されるだけではなく、欠陥管理は、データがＢＤ−ＷＯなどの高密度追記型ディスク上に記録されるときに特に重要な要素となる。
【発明の開示】
【発明が解決しようとする課題】
【００１６】
このため、ＢＤ−ＷＯなどの追記型光ディスクにおいて、データの追記が一回しか行えない追記型ディスクの特性を考慮した欠陥管理情報の記録および管理方法が望まれるようになってきた。さらに、通常、記録がディスク上に行える場合は、記録がこれ以上行われない“ファイナライズ“の場合と区別される必要がある。この場合にも、欠陥管理情報を記録および管理する方法が望まれる。
【００１７】
現在のところ、既存の追記型光ディスク（例えば、ＣＤ−Ｒ、ＤＶＤ−Ｒ）に関する規定は、欠陥管理が行われる場合を想定していない。そこで、新たな追記型光ディスクにおける欠陥管理に関する新しい統合規格は、ディスクと関係する以上の要件を考慮する必要がある。
【００１８】
本発明は、追記型光ディスク、および該光ディスク上に最終管理情報を記録する方法および装置を目指し、従来の技術の制限および短所による一つ以上の不具合を実質的に解消する。
【００１９】
本発明の目的は、欠陥管理を効率よく行うための追記型ディスクの構造を提供するところにある。
【００２０】
本発明の他の目的は、データが追記型光ディスク上にこれ以上記録されないとき、例えば、光ディスクがファイナライズされるとき、欠陥管理領域内に最終管理情報を記録する方法を提供するところにある。
【００２１】
本発明のさらに他の目的は、光ディスクがファイナライズされるか否かに応じて可変する、光ディスクに対する記録および再生方法を提供するところにある。
【００２２】
本発明の他の利点、目的および特徴は、この技術分野における当業者であれば、後述する説明における本発明の教示から自明に理解できるであろう。また、本発明の目的および他の利点は、添付された図面と特許請求の範囲および詳細な説明に特に指摘されている構造により実現および獲得できる。
【課題を解決するための手段】
【００２３】
本発明の一態様によれば、追記型記録媒体に最終管理情報を記録する方法が提供される。ここで、前記記録媒体は、一時欠陥管理領域（ＴＤＭＡ）および欠陥管理領域（ＤＭＡ）を有し、前記方法は、記録媒体のＴＤＭＡに記録された情報をＤＭＡに伝送する段階と、最終管理情報としてＤＭＡに伝送された情報を記録する段階と、を含み、最終管理情報は、少なくとも一つの欠陥リストと、スペースビットマップ情報及び順次的な記録範囲情報のうち何れか一方と、を有し、前記記録段階は、ＤＭＡに記録された少なくとも一つの欠陥リストからの一つの有効な欠陥リストに関する位置情報をＤＭＡに保存する段階を含む。
【００２４】
本発明の他の態様によれば、追記型記録媒体の上に最終管理情報を記録する方法が提供される。ここで、前記記録媒体は、一時欠陥管理領域（ＴＤＭＡ）および欠陥管理領域（ＤＭＡ）を有し、前記方法は、記録媒体のＴＤＭＡに記録された情報をＤＭＡに伝送する段階と、最終管理情報としてＤＭＡに伝送された情報を記録する段階と、を含み、最終管理情報は、複数の複製欠陥リストと、スペースビットマップ情報及び順次的な記録範囲情報のうち何れか一方と、を有し、前記記録段階は、ＤＭＡに記録された複製欠陥リストからの全ての有効な欠陥リストに関する位置情報をＤＭＡに保存する段階を含む。
【００２５】
本発明のさらに他の態様によれば、少なくとも一つの記録層、該少なくとも一つの記録層に対する一時欠陥管理領域（ＴＤＭＡ）および欠陥管理領域（ＤＭＡ）を有する追記型記録媒体が提供される。ここで、ＴＤＭＡに記録された情報は、最終管理情報の一部としてＤＭＡに伝送されて記録され、最終管理情報は、少なくとも一つの欠陥リストと、スペースビットマップ情報及び順次的な記録範囲情報のうち何れか一方と、ＤＭＡに記録された少なくとも一つの欠陥リストからの一つの有効な欠陥リストに関する位置情報と、を有する。
【００２６】
本発明のさらに他の態様によれば、少なくとも一つの記録層、該少なくとも一つの記録層に対する一時欠陥管理領域（ＴＤＭＡ）および欠陥管理領域（ＤＭＡ）を有する追記型記録媒体が提供される。ここで、ＴＤＭＡに記録された情報は最終管理情報の一部としてＤＭＡに伝送されて記録され、最終管理情報は、複数の複製欠陥リストと、スペースビットマップ情報及び順次的な記録範囲情報のうち何れか一方と、ＤＭＡに記録された複製欠陥リストからの全ての有効な欠陥リストに関する位置情報と、を有する。
【００２７】
本発明のさらに他の態様によれば、一時欠陥管理領域（ＴＤＭＡ）および欠陥管理領域（ＤＭＡ）を有する追記型記録媒体に最終管理情報を記録するための装置が提供される。ここで、前記記録媒体は、一時欠陥管理領域（ＴＤＭＡ）および欠陥管理領域（ＤＭＡ）を有し、前記装置は、記録／再生部、および記録媒体のＴＤＭＡに記録された情報をＤＭＡに伝送し、最終管理情報の一部としてＤＭＡに伝送された情報を記録するために前記記録／再生部を制御する制御器を備え、前記最終管理情報は、少なくとも一つの欠陥リストと、スペースビットマップ情報及び順次的な記録範囲情報のうち何れか一方と、ＤＭＡに記録された少なくとも一つの欠陥リストからの一つの有効な欠陥リストに関する位置情報と、を有する。
【００２８】
本発明のさらに他の態様によれば、一時欠陥管理領域（ＴＤＭＡ）および欠陥管理領域（ＤＭＡ）を有する追記型記録媒体に最終管理情報を記録するための装置が提供される。ここで、前記記録媒体は、一時欠陥管理領域（ＴＤＭＡ）および欠陥管理領域（ＤＭＡ）を有し、前記装置は、記録／再生部、および記録媒体のＴＤＭＡに記録された情報をＤＭＡに伝送し、最終管理情報の一部としてＤＭＡに伝送された情報を記録するために前記記録／再生部を制御する制御器を備え、前記最終管理情報は、複数の複製欠陥リストと、スペースビットマップ情報及び順次的な記録範囲情報のうち何れか一方と、ＤＭＡに記録された複製欠陥リストからの全ての有効な欠陥リストに関する位置情報と、を有する。
【００２９】
本発明の前述の概略の説明および後述の詳細な説明は、典型的および説明的なものであり、特許請求の範囲に記載した本発明の詳細な説明を企図したものであると理解されるべきである。
【発明を実施するための最良の形態】
【００３０】
本発明の原理および本発明の好適な実施の形態は、この明細書の一部として含まれる添付図面により一層明らかになる。
【００３１】
以下、添付した図面に基づき、本発明の好適な実施の形態について詳細に説明する。図中、同じ構成要素には同じ参照符号が付されている。
【００３２】
なお、説明上の便宜のために、追記型光ディスクの例として追記型ブルーレイ・ディスク（ＢＤ−ＷＯ）を挙げる。
【００３３】
本発明における用語選定に当たっては、できる限り一般的な用語を使用するものとする。しかしながら、特定の場合には発明者による任意の用語が選択される。この場合、その用語の意味が対応箇所に詳細に定義されている限り、本発明は単なる用語の名前の観点からではなく、定義された用語の意味として理解されるべきである。
【００３４】
本発明による追記型光ディスクは、欠陥管理用スペア領域だけではなく、ディスクがファイナライズされる前に管理情報を記録するための一時ディスク管理領域（ＴＤＭＡ）と、ディスクがファイナライズされたときに最終管理情報を記録するための欠陥管理領域（ＤＭＡ）と、を有する。
【００３５】
以下では、図５に示す本発明の一実施の形態による単一層の追記型光ディスク（ＢＤ−ＷＯ）の構造について詳細に説明する。
【００３６】
図５を参照すると、追記型光ディスクは、リードイン領域６０、データ領域７０およびリードアウト領域８０を有する単一記録層を備える。データ領域７０は、内部スペア領域ＩＳＡ０、ユーザデータ領域７１、および外部スペア領域ＯＳＡ０を有する。
【００３７】
追記型光ディスクは、その本質的に、ディスクの各種の管理情報が記録される多くの領域を有することから、複数の一時欠陥領域もしくは一時ディスク管理領域（以下、“ＴＤＭＡ“と称する。）と、ディスクがファイナライズされるときに最終管理情報を記録するためのディスク管理領域もしくは欠陥管理領域（以下、“ＤＭＡ“と称する。）を有する。４つのＤＭＡ（ＤＭＡ１からＤＭＡ４）がディスクのリードイン６０およびリードアウト領域８０に割り当てられる。
【００３８】
前述したように、一時欠陥管理領域（ＴＤＭＡ）は、ここに混在して記録される通常の管理情報だけではなく、欠陥管理情報をも有する。通常の管理情報はディスクの記録状態を含み、欠陥管理領域はディスクの使用中に通常生成される。ディスクがファイナライズされると、ディスクは（例えば、ユーザデータ領域に）記録がこれ以上行えない状態になる。このため、ＴＤＭＡからの管理情報は、ＤＭＡに伝送されて最終管理情報として記録される。したがって、ＴＤＭＡまたはＤＭＡは、追記型光ディスクがファイナライズされるか否かに応じて使用される。
【００３９】
ＴＤＭＡは、通常、下記の２種類に類分される：固定サイズ（例えば、２，０４８クラスター）を有し、リードイン領域に位置する１次ＴＤＭＡ（以下、“ＰＴＤＭＡ“と称する。）と、可変サイズを有し、データ領域のスペア領域のうち外部スペア領域ＯＳＡ０に位置する付加的なＴＤＭＡ（以下、“ＡＴＤＭＡ“と称する。）。これらは、図５にそれぞれＰＴＤＭＡ０およびＡＴＤＭＡ０として呼称されている。
【００４０】
このため、本発明の一時欠陥管理領域（ＴＤＭＡ）をＰＴＤＭＡ若しくはＡＴＤＭＡとすることができる。“１次一時欠陥管理領域（ＰＴＤＭＡ）“および“付加的な一時欠陥管理領域（ＡＴＤＭＡ）“という用語が用いられるとき、これらはそれぞれＰＴＤＭＡおよびＡＴＤＭＡを意味する。
【００４１】
固定サイズ（例えば、２，０４８クラスター）のＰＴＤＭＡ０は、ディスクの初期ステージにおいて必然的にリードイン領域６０に割り当てられ、ＡＴＤＭＡ０は選択的に割り当てられるか、あるいは割り当てられないようにすることができる。ディスク上に領域を割り当てるとき、ＡＴＤＭＡ０のサイズＰ１は様々なサイズに決められる。スペア領域（ＯＳＡ０）のサイズ（Ｎ１）の観点からみて、特定のサイズ（例えば、Ｐ１＝Ｎ１／４）であることが好ましい。
【００４２】
すなわち、本発明の追記型光ディスクは、複数の一時欠陥管理領域（ＴＤＭＡ）だけではなく、欠陥管理領域（ＤＭＡ）をも有する。一時欠陥管理領域（ＴＤＭＡ）は、固定サイズで割り当てられるＰＴＤＭＡと、特定の領域に割り当てられ、可変サイズを有するＡＴＤＭＡと、を有する。本発明に用いられる用語のうち“管理情報“とは、“欠陥管理情報“及び／または“通常の管理情報“を含むものである。ディスクの欠陥領域を管理するために、欠陥管理情報は、欠陥領域の位置および対応する置換位置を管理するための情報を含む。通常の管理情報は、ディスクの欠陥管理情報を除いた管理情報を含み、記録状態を示すためにディスクの記録領域および非記録領域を区別するための情報などとして例示される。本発明による追記型光ディスクは、ディスクの何れの領域が記録された領域あるいは未記録領域であるかを管理するための情報を含む。以下、本発明による管理情報について説明する。
【００４３】
同じ管理情報が、ディスクのＰＴＤＭＡおよびＡＴＤＭＡに記録される。図５では、説明上の便宜のためにＰＴＤＭＡ０に記録された管理情報だけを例にとって説明する。
【００４４】
引き続き図５を参照すると、管理情報は３種類に大別される。第１種類は、欠陥管理情報であって、ディスクの欠陥領域を管理するために欠陥リストを記録する一時欠陥リスト（ＴＤＦＬ）であり、第２種類は、通常の管理情報であって、ディスクの記録状態を表すための順次的な記録範囲情報（ＳＲＲＩ）およびスペースビットマップ（ＳＢＭ）であり、第３種類は、ディスクの各種の必要情報を記録するために欠陥管理および通常の管理を含む一時ディスク定義構造（ＴＤＤＳ）である。
【００４５】
通常、ＳＲＲＩおよびＳＢＭが同時に用いられることはない。ディスク上にデータが順次記録されるならば、ＳＲＲＩはＴＤＭＡ（例えば、ＰＴＤＭＡ０、ＡＴＤＭＡ０など）に記録される。
【００４６】
これに対し、ディスク上にデータがランダムに記録されるならば、ＳＢＭはＴＤＭＡに記録される。さらに、管理情報は、更新が必要となる度にＴＤＭＡに記録される。しかし、更新された情報がＴＤＤＳに常に記録される必要があるため、ＴＤＤＳは常時更新されるＴＤＦＬもしくはＳＲＲＩ（またはＳＢＭ）と共に記録される。ＴＤＤＳに記録された情報は更新されたＴＤＦＬ（またはＳＲＲＩ、ＳＢＭ）の位置情報などとして例示される。
【００４７】
ディスクの記録領域（すなわち、ユーザデータ領域）に空き容量がなく、一時欠陥管理領域への追記が行われない場合、またはユーザがこれ以上ディスク上への記録を希望しない場合にはディスクがファイナライズされる。このとき、一時欠陥管理領域（ＴＤＭＡ）に記録された管理情報のうち最後に更新された管理情報は、欠陥管理領域（ＤＭＡ１などのＤＭＡ）に伝送されて最終管理情報として記録される。
【００４８】
同じ管理情報がＤＭＡ１からＤＭＡ４のそれぞれに保存される。つまり、あるＤＭＡに記録された情報は、他のＤＭＡのそれぞれに保存された情報の写しである。
【００４９】
図６は、本発明の一実施の形態による、図５に示すＢＤ−ＷＯなどの追記型光ディスクに対する記録／再生方法を例示するフローチャートであり、特に、ファイナライズされるディスクに関してデータを再生する方法を示している。ここで留意すべき点は、図６の方法が図７ないし図１１に関連づけて後述するＢＤ−ＷＯに適用できるということである。
【００５０】
図６を参照すると、まず、データがディスクから再生される間にディスクをファイナライズさせるか否かを調べる（Ｓ１０）。例えば、ディスク上に記録領域（例えば、ユーザデータ領域）に空き容量がない場合、一時欠陥管理領域がない場合、ユーザがこれ以上ディスク上へのデータの記録を希望しない、ディスク完了コマンドがユーザまたはホストから受信された場合には、ディスクをファイナライズする。ディスクがファイナライズされると、ユーザデータ領域への追記は行われない。
【００５１】
ステップＳ１０において、ディスクをファイナライズさせないと判断した場合、ディスクからデータが有効に再生され（Ｓ２１）、生成された管理情報は一時欠陥管理領域（ＴＤＭＡ）に繰り返し記録される（Ｓ２２）。
【００５２】
ステップＳ１０において、ディスクをファイナライズさせると判断すると、最終管理情報が欠陥管理領域（ＤＭＡ）に記録される。以下、このプロセスについて説明する。
【００５３】
ディスクをファイナライズするとき、一時欠陥管理領域（ＴＤＭＡ）内にて最後に記録された更新済み管理情報（すなわち、最新の管理情報）が検出される（Ｓ３１）。管理情報は、前述したように、ＴＤＦＬ、ＳＲＲＩ（またはＳＢＭ）、ＴＤＤＳなどを含む。最新の管理情報はディスクのＴＤＭＡ（例えば、ＰＴＤＭＡまたはＡＴＤＭＡ）から欠陥管理領域（例えば、ＤＭＡ１、ＤＭＡ２、ＤＭＡ３、またはＤＭＡ４）に伝送されて最終管理情報として記録される。特に、最新のＴＤＦＬは、ＤＭＡのＤＦＬ領域に伝送されてＤＦＬとして記録される。最新のＴＤＤＳは、ＤＭＡのＤＤＳ領域に伝送されてＤＤＳとして記録される。ＴＤＭＡ内の最新のＳＲＲＩ（または最新のＳＢＭ）は、ＤＭＡのＳＲＲＩ（またはＳＢＭ）に伝送されて記録される。あるＤＭＡのコンテンツは他のＤＭＡのそれぞれにコピーされる。
【００５４】
ＴＤＦＬがＤＦＬに伝送されて記録されるとき、有効なＤＦＬに関する位置情報だけが位置情報Ｐ＿ＤＦＬとしてＤＤＳ内に記録されるように（Ｓ３３）、ＤＦＬが有効であるか、それとも破損されているかを調べる（Ｓ３２）。ディスクのファイナライズを終えたあとは、ディスクからの再生動作のみが可能となる（Ｓ３４）。ステップＳ３２のように、特定のディスク領域が破損されたかを調べるプロセスは、例えば、既に公知技術であるディスク領域からの信号の特性を調べることにより行われる。
【００５５】
図６の記録／再生方法における、ディスクのファイナライズの時に最終管理情報を記録するステップＳ３２およびＳ３３を、図７および図８を参照して一層詳細に説明する。
【００５６】
図７は、本発明の一実施の形態による、図５に示すＢＤ−ＷＯの各ＤＭＡの構造を示している。この実施の形態において、有効ＤＦＬの位置またはロケーションを識別する位置情報Ｐ＿ＤＦＬは、全ての有効ＤＦＬについて一つのＤＤＳに記録される。
【００５７】
図７を参照すると、ＤＭＡは、図２に示された一つの記録層を有するＢＤ−ＲＥのＤＭＡと同じディスク位置にて同じサイズ（例えば、３２クラスター）を有するため、ＢＤ−ＲＥとの互換可能性は保証されるものの、記録方式は、後述するＢＤ−ＷＯの“追記型“という特性により異なる。
【００５８】
結局、図６のステップＳ１０にてディスクをファイナライズさせるとき、一時欠陥管理領域（ＴＤＭＡ）の更新されたＴＤＦＬが検出され、欠陥管理領域（ＤＭＡ）のＤＦＬ領域に伝送されて記録される。更新されたＴＤＦＬ（最新のＴＤＦＬ）は、ＤＭＡのクラスター５から３２に繰り返し７回記録される。図７において、参照番号６１から６７は、複製されたＤＦＬの第１ないし第７位置をそれぞれ示す。例えば、ＤＦＬは、クラスター５から８、クラスター９から１２、クラスター１３から１６、クラスター１７から２０などに複製される。このように、以下では、複製ＤＦＬを記録するためのこれらのクラスターのグループをＤＦＬ領域と称する。例えば、クラスター１３から１６はＤＦＬ領域であり、クラスター１７から２０は他のＤＦＬ領域である。
【００５９】
ステップＳ３２において、各ＤＦＬ領域に欠陥があるかを調べる。ＤＦＬ領域が欠陥なしと判定されれば、記録されたそのＤＦＬ領域は有効な領域として定義される。ＤＦＬ領域が欠陥有りと判定されれば、破損領域として定義される。有効ＤＦＬ領域のそれぞれの位置は、ＤＤＳに記録される。図７は、ＤＦＬの第１、第３、第４および第６位置（６２、６３、６４および６６）が有効領域として定義され、これらの有効領域のそれぞれに関する位置情報がＤＤＳに全て記録される場合を示している。これは別の方式で行われるようにすることもできる。
【００６０】
ある方式によれば、ＤＦＬはＤＭＡの特定のＤＦＬ領域に記録することができる。記録の直後に、システムは記録されたＤＦＬに欠陥があるかを検証できる。システムにより、記録されたＤＦＬ領域が欠陥でないと検証されれば、システムはこの記録されたＤＦＬ領域に関する位置情報をＤＭＡのＤＤＳに記録し、その後ＤＦＬは次のＤＦＬ領域にコピーされる。システムにより、記録されたＤＦＬが欠陥であると検証されれば、記録されたＤＦＬ領域に関する位置情報がＤＤＳに記録されることはないが、ＤＦＬはＤＭＡの次のＤＦＬ領域にコピーされる。このようなプロセスは、同じＤＦＬがＤＭＡのＤＦＬ領域に７回まで記録されるように繰り返し行われる。
【００６１】
他の方式によれば、ＤＦＬを７つのＤＦＬ領域のそれぞれに繰り返し記録し、その後、システムが７つのＤＦＬ領域のそれぞれに欠陥があるかを検証するようにできる。このグループの検証後、任意の有効ＤＦＬに関する位置情報をＤＤＳに記録することができる。
【００６２】
ＤＦＬ領域に関する位置情報は、“Ｐ＿ＤＦＬ“または“欠陥リストの第１ＰＳＮ“として呼ばれ、該領域の先頭に配置された物理的なセクター番号（ｐｈｙｓｉｃａｌ ｓｅｃｔｏｒ ｎｕｍｂｅｒ；ＰＳＮ）を有する特定の領域を示すために用いられる。このような用語は、本発明の他の実施の形態にも同じく適用される。
【００６３】
図７に示すように、最新ＴＤＤＳの内容がＤＭＡのＤＤＳに伝送されて記録されるだけではなく、有効なＤＦＬに関する位置情報がＤＭＡのＤＤＳに記録される。また、ＴＤＤＳは、有効ＤＦＬに関する位置情報Ｐ＿ＤＦＬが記録可能な領域を含むことができる。しかし、かかるＴＤＤＳの領域はディスクのファイナライズ時まで不要であるため、ＴＤＤＳの領域は、当初には“００ｈ“または“ＦＦｈ“などの無意味な情報として記録される可能性がある。
【００６４】
図７におけるクラスター１は、ＤＤＳ（伝送された最新のＴＤＤＳ）および最新のＳＲＲＩ（またはＳＢＭ）を保存する。クラスター１の内容はクラスター２、クラスター３およびクラスター４のそれぞれに繰り返し保存される。クラスター１などのクラスターにおいて、ＤＤＳはセクター０に保存され、ＳＲＲＩ／ＳＢＭはセクター１−３１に保存されるか、あるいは、ＳＲＲＩ／ＳＢＭはセクター０−３０に保存され、ＤＤＳはクラスターのセクター３１に保存される。
【００６５】
ＤＤＳは、合計で７つの位置情報Ｐ＿ＤＦＬが記録可能な領域５０を有する。より詳細には、このような領域５０は欠陥リストの第１ＰＳＮ＃１から欠陥リストの第１ＰＳＮ＃７を保存する。本実施の形態において、有効なＤＦＬの第１ＰＳＮだけが領域５０に保存される。図７の例においては、ＤＦＬの第２、第３、第４および第６の位置情報だけが有効であると仮定しているので、これらの有効領域に関する位置情報だけがＤＤＳの領域５０に順次記録され、残りの破損されたＤＦＬに関する位置情報はＤＤＳに記録されない。例えば、ＤＤＳの領域５０は、クラスター９から１２の有効なＤＦＬ領域６２のロケーション（第１ＰＳＮ）を識別する欠陥リストの第１ＰＳＮ＃１（５１）と、クラスター１３から１６における次に有効なＤＦＬ６３のロケーション（第１ＰＳＮ）を識別する欠陥リストの第１ＰＳＮ＃２（５２）と、クラスター１７から２０においる次に有効なＤＦＬ６４のロケーション（第１ＰＳＮ）を識別する欠陥リストの第１ＰＳＮ＃３（５３）と、クラスター２５から２８における次に有効ＤＦＬ６６のロケーション（第１ＰＳＮ）を識別する欠陥リストの第１ＰＳＮ＃４（５４）と、を保存する。破損したＤＦＬの第１、第５および第７の位置情報（６１、６５および６７）のロケーションはＤＤＳに保存されない。領域５０のいずれかの非使用部分は、“００ｈ“または“ＦＦｈ“など、予め決められた何らかの値をもって記録される場合もある。
【００６６】
これにより、ＤＭＡの記録されたＤＦＬ領域の７つ全てが有効領域であれば、各有効ＤＦＬ領域のロケーションは、ＤＤＳ内のＤＦＬに関する７つの位置情報が存在すべく、領域５０に順次保存される。何らかの理由により、ＤＭＡの記録されたＤＦＬ領域の全てが破損領域であれば、ＤＦＬに関する７つの位置情報は全てＤＤＳの領域５０に“００ｈ“または“ＦＦｈ“として記録される。この場合、ＤＭＡのそれぞれに冗長に記録された同じ情報を有するディスク上の４つの欠陥管理領域（ＤＭＡ）があるため、ＤＦＬの有効情報は破損されていない他のＤＭＡから読み込み可能である。その結果、本発明のスキームは重要な管理情報を保護する。
【００６７】
最終管理情報として、ＳＲＲＩ（またはＳＢＭ）が、ＤＤＳと共にＢＤ−ＷＯ内に記録される。しかし、図２の関連技術によるＢＤ−ＲＥは、管理情報としてＤＤＳにＳＲＲＩ（またはＳＢＭ）を記録せず、代わりに無意味な情報（例えば、“００ｈ“または“ＦＦｈ“）が、ＤＤＳを有するクラスターの残りのセクターに記録される。
【００６８】
図７に示す構造によれば、光ディスクをファイナライズする場合、記録／再生装置（例えば、図１２に示すデバイス）は最初の有効ＤＦＬ領域に関する位置／ロケーション情報Ｐ＿ＤＦＬを対応するＤＭＡのＤＤＳから読み込み、最初の有効ロケーションからＤＦＬにアクセスする。
【００６９】
欠陥などがこのような最初の有効ロケーションから発見されれば、この装置は次の有効ＤＦＬに関するロケーション情報Ｐ＿ＤＦＬを読み込み、ロケーション情報Ｐ＿ＤＦＬに基づき識別された第２の有効ロケーションからＤＦＬにアクセスする。
【００７０】
このような仕組みは、ディスクをファイナライズした後であっても、ディスクのファイナライズ時に定義された有効ＤＦＬ領域が継続して用いられるために、当初の有効ＤＦＬ領域がディスクのスクラッチなどにより順次損傷される場合にも対応できるようにする。
【００７１】
図８は、本発明の他の実施の形態による、図５のＢＤ−ＷＯの各ＤＭＡの構造を示している。図８におけるＤＭＡは、ＤＭＡのある有効ＤＦＬに関する単一の位置情報Ｐ＿ＤＦＬがＤＤＳに記録されることと、他のＤＦＬに対するＤＦＬの連続した複製記録が選択的であることを除いては、構造および使用の側面で図７のＤＭＡと同じである。
【００７２】
より詳細には、図８の実施の形態において、ＤＦＬがＤＭＡの特定のＤＦＬに記録された後、システムはＤＭＡの記録されたＤＦＬ領域が有効領域であるかを検証する。ここで、ＤＭＡの記録されたＤＦＬ領域が有効領域であれば、システムはこのような有効ＤＦＬ領域に関する位置情報Ｐ＿ＤＦＬをＤＤＳの領域５５に記録する。その後、プロセスは停止する。選択的にまたは強制的に、システムはＤＭＡの次のＤＦＬ領域にＤＦＬを記録する。しかし、この場合でも、これら次のＤＦＬ領域に関する位置情報がＤＤＳに記録されず、一つの位置情報のみがＤＤＳに存在する。図８に示す例では、４つの有効なＤＦＬの位置情報（６２、６３、６４および６６）が存在するが、ＤＦＬの第２の位置に関する位置情報のみ（つまり、クラスター９から１２におけるＤＦＬの第１ＰＳＮ）がＤＤＳの領域５５に記録される。
【００７３】
前述したように、ＤＳＬがクラスター５から３２に繰り返し７回記録可能であるとしても、あるＤＦＬ領域の有効位置を取得できるときにはＤＦＬをＤＭＡの残りのクラスターに記録しない方式によりＤＦＬを記録することが可能である。
【００７４】
一例として、最新のＤＦＬがＤＭＡのＤＦＬ領域６１（クラスター５から８）に伝送されて記録される。この領域が欠陥付き欠陥／破損領域として判断されれば、最新のＴＤＦＬがＤＭＡの次のＤＦＬ領域６２（クラスター９から１２）に伝送されて記録される。この領域が非欠陥／有効領域として判断されれば、この有効ＤＦＬ領域６２に関する位置情報がＤＤＳに記録される。この時、残りのＤＦＬ領域６３から６７（クラスター１３から３２）に最新ＴＤＦＬが伝送されて記録されることはない。代わりに、これら残りの領域は“００ｈ“、“ＦＦｈ“または他の指定の値／方式により記録される。単一の第１の有効ＤＦＬ領域６２に関する位置情報６１がＤＭＡのＤＤＳに保存されている。
【００７５】
前述したように、ＤＭＡの全てのＤＦＬ領域に最新のＴＤＦＬを伝送および記録しない場合には、記録時間が短くなることから、遅滞なくディスクのファイナライズを完了できるというメリットがある。
【００７６】
一つの有効ＤＦＬ領域に関する単一の位置情報Ｐ＿ＤＦＬのみをＤＭＡのＤＤＳに記録するようにできるのは、最終管理情報が依然として良好に保護され、必要時に他のＤＭＡからアクセスできるからである。
【００７７】
図９ないし図１１は、本発明が２つの記録層を有するデュアル層の光ディスクに拡張適用される場合の実施の形態を示す。ここで、図６の方法は、図９ないし図１１に示すデュアル層の光ディスクにも同じく適用可能である。
【００７８】
特に、図９は、本発明の一実施の形態によるＢＤ−ＷＯなどデュアル層の追記型光ディスクの構造を示している。デュアル層の追記型光ディスクは、リードイン領域、データ領域およびリードアウト領域をそれぞれ有する第１記録層（層１）および第２記録層（層２）を備える。これらの記録層は、それぞれ固定サイズを有するＰＴＤＭＡ０（層０）およびＰＴＤＭＡ１（層１）を備える。データ領域の全体で、４つのスペア領域が割当て可能である。内部スペア領域ＩＳＡ０および外部スペア領域ＯＳＡ０は、第１記録層（層０）の内周および外周に割当て可能であり、内部スペア領域ＩＳＡ１および外部スペア領域ＯＳＡ１は、第２記録層（層１）の内部および外周に割当て可能である。
【００７９】
ＡＴＤＭＡは、ＯＳＡ０，ＯＳＡ１およびＩＳＡ１内にしか存在せず、これらはそれぞれＡＴＤＭＡ０，ＡＴＤＭＡ１およびＡＴＤＭＡ２として呼ばれる。図９において、アルファベットＮ，Ｐ，ＱおよびＬは対応する領域のサイズ情報を表わす。特に、好ましくは、ＡＴＤＭＡ０およびＡＴＤＭＡ１のそれぞれのサイズＰ２がＯＳＡ０／ＯＳＡ１のサイズＮ２の略１／４である。また、好ましくは、ＡＴＤＭＡ２のサイズＱがＩＳＡ１のサイズＬの略１／４である。しかし、本発明はこれに限定されることなく、必要であれば、規定に基づきそのサイズを変えることができる。
【００８０】
同じ管理情報が、ＰＴＤＭＡ（ＰＴＤＭＡ０およびＰＴＤＭＡ１）およびＡＴＤＭＡ（ＡＴＤＭＡ０およびＡＴＤＭＡ１）に記録されるが、図９は、説明上の便宜のためにＰＴＤＭＡ１に記録された管理情報だけを示している。これらＰＴＤＭＡ／ＡＴＤＭＡのそれぞれに記録された管理情報は、単一層のディスク構造に関して前述したのと同様に、ＴＤＦＬ，ＴＤＤＳ，ＳＲＲＩ（またはＳＢＭ）などを有する。
【００８１】
単一層のディスク構造と同様に、本発明によるデュアル層ディスクの構造において、例えば、記録領域に空き空間がなく、ＴＤＭＡがない場合、あるいはユーザがそれ以上ディスク上へのデータの記録を希望しない場合に、ディスクはファイナライズされる。このとき、一時欠陥管理領域で最後に記録された更新済み管理情報は、前述したように、ＤＭＡに伝送され、最終管理情報として記録される。
【００８２】
図１０は、本発明の一実施の形態による、図９のデュアル層ディスク内の各ＤＭＡの構造を示している。図１０において、デュアル層ディスクのＤＭＡの構造および使用は、ＤＭＡのサイズが６４クラスターであること、クラスター５から８が予約されていること、及び各ＤＦＬが８つのクラスター（単一層ディスクにおける４クラスターの代わりに）内のＤＭＡに記録されることを除いては、図７の単一層ディスクのそれと同じである。したがって、全ての有効ＤＦＬに関する位置情報は、図１０に示すように、ＤＭＡのＤＤＳに記録される。
【００８３】
図１１は、本発明の他の実施の形態による、図９のデュアル層ディスク内の各ＤＭＡの構造を示している。図１１において、デュアル層ディスクのＤＭＡの構造および使用は、ＤＭＡのサイズが６４クラスターであること、クラスター５から８が予約されていること、及び各ＤＦＬが８クラスター（単一層ディスクにおける４クラスターの代わりに）内のＤＭＡに記録されることを除いては、図８の単一層ディスクのそれと同じである。したがって、単一の第１の有効ＤＦＬに関する位置情報が、図１１に示すように、ＤＭＡのＤＤＳに記録される。図１１に示すように、クラスター９から１６にてＤＭＡ内においてＤＦＬの繰り返し７回記録可能であるとしても、一つの有効ＤＦＬがＤＭＡに記録されるとき、ＤＦＬの記録を停止することも可能である。すなわち、有効ＤＦＬが一旦記録された後にＤＦＬを繰り返し記録するプロセスは、本発明による選択的または強制的な特徴であり得る。このように、連続したＤＦＬをＤＭＡに選択的／強制的に記録することは、図８と結びつけて既に説明されている。
【００８４】
図１２は、本発明による方法を実装可能な記録／再生装置を示している。本発明による方法は、他の装置またはシステムによっても実装可能である。
【００８５】
図１２を参照すると、記録／再生装置は、ＢＤ−ＷＯなどの追記型光ディスクに／から記録／再生を行うための記録／再生部１０、および記録／再生動作を制御するための制御部２０を備える。制御部２０は、ディスク上の特定の領域についての記録コマンドまたは再生コマンドを記録／再生部１０に送る。記録／再生部１０は、制御部２０からのコマンドに基づき、特定の領域にて記録／再生を行う。記録／再生部１０は、外部装置との通信を可能にするインタフェース部１２、光ディスクに／から記録／再生を行うためのピックアップ部１１、ピックアップ部１１から再生信号を受信して所定の信号値に復元するか、または送信のために記録する信号を光ディスク上への記録に適応すべく変調するデータプロセッサ１３、光ディスク上の特定の領域から信号を正確に読み込み、あるいは光ディスク上の特定の領域に信号を正確に書き込むべくピックアップ部１１を制御するサーボ部１４、管理情報およびデータを有する各種の情報を一時的に保存するメモリ１５、および記録／再生部１０の構造素子を制御するマイクロ・コンピュータまたはプロセッサ（マイコン）１６を備える。記録／再生装置の全ての構成要素は動作可能に結合される。
【００８６】
そこに記録される管理情報を有する本発明による光ディスクが図１２の記録／再生装置に挿入される場合、記録／再生装置を用いたデータの光ディスクに／からの記録／再生方法について説明する。
【００８７】
図１２の記録／再生装置は、前述したように、欠陥管理情報をディスクに記録できる。例えば、マイコン１６は、ピックアップ部１１を制御することにより、前記ディスク構造および使用にしたがって、ディスクのＴＤＭＡおよびＤＭＡに欠陥管理情報を記録する。
【００８８】
光ディスクが記録／再生装置にロードされると、記録／再生部１０のマイコン１６は、挿入された光ディスクの管理領域を調べる。まず、ＤＭＡは、該ディスクがファイナライズされたディスクであるか否かを調べる。例えば、情報がＤＭＡに記録されれば、該ディスクはファイナライズされたディスクであると判定される。これに対し、いかなる情報もＤＭＡに記録されなければ、該ディスクはファイナライズされていないディスクであると判定される。
【００８９】
ディスクが完了ディスクとして判定される場合は、ディスクの最終管理情報がＤＭＡに記録されている場合である。このため、最終管理情報はＤＭＡから取得され、ディスクの再生に使われる。これと関連し、有効ＤＦＬに関する位置情報はＤＭＡのＤＤＳから素早く得られる。ＤＦＬは、取得された位置情報によって示された位置へ／からアクセス及び再生され、再生されたＤＦＬ情報は再び確認される。確認の結果、有効領域に記録されたＤＦＬが以降欠陥付き破損領域に変わったと判定されたとき、図７または図１０のように複数の位置情報Ｐ＿ＤＦＬがあるＤＭＡに記録されていれば、ＤＦＬを保存する次の有効ＤＦＬ領域に関する位置情報Ｐ＿ＤＦＬを得ることにより非欠陥ＤＦＬを取得することができる。図８または図１１のように単一の位置情報Ｐ＿ＤＦＬがあるＤＭＡに記録される場合には、他のＤＭＡにアクセスして非欠陥ＤＦＬを取得することができる。
【００９０】
他の最終管理情報としてのＤＤＳ、ＳＲＲＩなどは、ＤＭＡから効率よく取得できる。これと同様に、ＤＭＡの特定の領域が欠陥ありと判定されれば、記録が繰り返し行われる次の領域を確認して、欠陥無し最終管理情報を得るようにできる。
【００９１】
装置にロードされたディスクがファイナライズされていないディスクである場合は、ディスクの現在の管理情報が一時欠陥管理領域（ＴＤＭＡ）に記録される場合である。したがって、この場合、一時欠陥管理領域（ＴＤＭＡ）に最後に記録された更新済み管理情報（すなわち、最新の管理情報）を取得し、ディスクの最終記録状態を読み取る。これにより、追記型光ディスク上における効率のよい記録／再生が可能になる。管理情報の更新が記録／再生の最中または記録／再生の完了後に要求される場合、かつディスクをまだファイナライズしない場合、更新済み管理情報が記録される。ディスクのファイナライズが求められる場合、本発明の方法にしたがって、ディスクのファイナライズ時点の最終管理情報がＤＭＡに記録される。
【００９２】
以上述べたように、本発明は、最終管理情報が追記型光ディスクのＤＭＡに記録されるとき、有効ＤＦＬに関する位置情報Ｐ＿ＤＦＬを記録するための各種の方法を提供することにより、追記型光ディスクに対して効率よく記録／再生できるというメリットを有する。
【００９３】
本発明は前述した実施の形態に限定されることなく、この技術分野における当業者であれば、本発明の技術的な範囲を逸脱しない範囲内で各種の修正および変形が可能であるということを理解できるであろう。よって、本発明の技術的な範囲は特許請求の範囲によって定められるべきである。
【産業上の利用可能性】
【００９４】
本発明は、追記型光ディスク、および追記型光ディスク上に／からデータを記録／再生する方法および装置に関する。本発明の一態様によれば、追記型記録媒体上に最終管理情報を記録する方法が提供される。前記記録媒体は、一時欠陥管理領域（ＴＤＭＡ）および欠陥管理領域（ＤＭＡ）を有し、前記方法は、記録媒体のＴＤＭＡに記録された情報をＤＭＡに伝送される段階、および最終管理情報としてＤＭＡに伝送された情報を記録する段階を含み、前記最終管理情報は、少なくとも一つの欠陥リストと、スペースビットマップ情報及び順次的な記録範囲情報のうち何れか一方とを有し、前記記録段階は、ＤＭＡに記録された少なくとも一つの欠陥リストからの一つの有効な欠陥リストに関する位置情報をＤＭＡに保存する段階を含む。
【図面の簡単な説明】
【００９５】
【図１】関連技術による単一層のＢＤ−ＲＥの構造を示す概略図である。
【図２】図１の関連技術によるＢＤ−ＲＥ内のＤＭＡの構造を示す図である。
【図３】関連技術によるデュアル層のＢＤ−ＲＥの構造を示す概略図である。
【図４】図３の関連技術によるＢＤ−ＲＥ内のＤＭＡの構造を示す図である。
【図５】本発明の一実施の形態による単一層の追記型光ディスクの構造を示す図である。
【図６】本発明の一実施の形態による追記型光ディスクに対する記録／再生方法を示すフローチャートである。
【図７】図５の本発明の一実施の形態による単一層の追記型光ディスクのＤＭＡの構造を示す図である。
【図８】図５の本発明の一実施の形態による単一層の追記型光ディスクのＤＭＡの構造を示す図である。
【図９】本発明の一実施の形態によるデュアル層の追記型光ディスクの構造を示す図である。
【図１０】図９の本発明の一実施の形態によるデュアル層の追記型光ディスクのＤＭＡの構造を示す図である。
【図１１】図９の本発明の一実施の形態によるデュアル層の追記型光ディスクのＤＭＡの構造を示す図である。
【図１２】本発明による追記型光ディスクに対する記録／再生装置を示す図である。
【図１】
2007509453.tif 000003
【図２】
2007509453.tif 000004
【図３】
2007509453.tif 000005
【図４】
2007509453.tif 000006
【図５】
2007509453.tif 000007
【図６】
2007509453.tif 000008
【図７】
2007509453.tif 000009
【図８】
2007509453.tif 000010
【図９】
2007509453.tif 000011
【図１０】
2007509453.tif 000012
【図１１】
2007509453.tif 000013
【図１２】
2007509453.tif 000014
【国際調査報告】
2007509453.tif 000015
2007509453.tif 000016
2007509453.tif 000017